【手続補正書】
【提出日】平成25年2月17日(2013.2.17)
【手続補正１】
【補正対象書類名】明細書
【補正対象項目名】０００６
【補正方法】変更
【補正の内容】
【０００６】やがて合成樹脂技術の発展と共に60年前頃にはポリエチレン素材の滑走面材が生み出された。ポリエチレン製滑走面材はそれまで試みられてきた樹脂製滑走面と比べ耐磨耗性、低摩擦、長寿命という有利点が多く、滑走面材の素材として最適とされて今も世界的に用いられているが、防水性は高いも撥水性はあまり高くはなかった。また高速で硬い雪氷面を滑ると、その表面が削られて摩耗し平滑性が低下することで摩擦抵抗も増加する。
【手続補正２】
【補正対象書類名】明細書
【補正対象項目名】００１０
【補正方法】変更
【補正の内容】
【００１０】次にスケート等の氷上に用いられる滑走移動用具についてみれば、この氷上滑走性はブレード底面にあるエッジ部の平滑状態に大きく左右される。しかし金属製であるブレードは錆びやすい。また構造上滑走者の全体重がブレードに集中した状態で硬い氷面上を滑走するため、この摩擦力によりブレード底面部が磨耗しやすい。これら錆と磨耗はスケートの滑走性に影響するので、滑走後は水分を除去し専ら錆止め効果を期待して油脂がブレードに塗布され、またブレードが磨耗した際は、研磨を行うことで失われた平滑性を回復している。
【手続補正３】
【補正対象書類名】明細書
【補正対象項目名】００２１
【補正方法】変更
【補正の内容】
【００２１】3.擬似液体説もそのルーツは160年前に遡る。しかし「氷の表面には微細な水膜がある」というその説は当時では受け入れられず、その後100年間もの間、2.摩擦熱融解説の影に隠れて注目されていなかった。しかし60年前に北海道大学低温科学研究所の故中谷宇吉郎教授らによる実験で、氷表面には本当に液体層が存在する事が示された。やがて分子レベルの表面解析が可能になると、この氷表面にある温度に依存した擬似液体層の動向が詳しく観察されるようになり、この擬似液体層が雪氷上での摩擦を低減して潤滑剤の役割を果たしていた事が確認された。その提唱から160年間後の現在、この擬似液体層が関わる諸現象の研究が進められている。
【手続補正４】
【補正対象書類名】明細書
【補正対象項目名】００２２
【補正方法】変更
【補正の内容】
【００２２】この擬似液体層は氷点下100℃もの低温でも存在するとされ、これで2.摩擦熱融解説では説明が難しかった北極圏など氷点下30℃もの極寒地で、犬ぞりが低速であっても滑走移動できる事実の説明が可能になった。しかしこれら流体潤滑説の基本である雪氷面上の水も、ある量以上になると今度はその張力によって逆に雪氷上滑走移動への抵抗になる事は周知である。
【手続補正５】
【補正対象書類名】明細書
【補正対象項目名】００２４
【補正方法】変更
【補正の内容】
【００２４】我が国のスキー人気は、上述のとおり1991−1993年頃がピークであったが、ちょうどその頃にスキーワックスに添加剤としてフッ素樹脂を分散させることでその滑走性を格段に向上させる手法が確立していった。これは、フッ素樹脂の分子表面が、水に対して全く親和性のないフッ素基によって覆われていて、スキー滑走面と雪氷面とのミクロ的な相互作用が妨げられて完全な撥水性が実現することによると解釈される。
【手続補正６】
【補正対象書類名】明細書
【補正対象項目名】００２６
【補正方法】変更
【補正の内容】
【００２６】なお、フッ素樹脂以外にも多くのスキーワックス用の添加剤が試みられてきた。現在まで取り上げられた主な例を挙げると次の通りである。Ａ：フッ素樹脂系、PTFEなど（例えば、特許文献1。）Ｂ：層状構造体、MoS2、BNなど（例えば、特許文献２。）C：軟質金属、Ga、Inなど（例えば、特許文献３。）D： 光触媒、TiO2など（例えば、特許文献４。） E： 球状粒子、ミクロシリカ（例えば、特許文献５。）F： ナノ炭素、C60 など  （例えば、特許文献６。）。
【手続補正７】
【補正対象書類名】明細書
【補正対象項目名】００２９
【補正方法】変更
【補正の内容】
【００２９】
【非特許文献１】日本生産性本部編「レジャー白書2010」、165頁、2010.7．生産性出版社
【非特許文献２】〔環境省・報道発表〕インターネット<URL：http://www.env.go.jp/press/press.php?serial=11117>
【非特許文献３】〔経済産業省・化学物質管理政策〕インターネット<URL：http://www.meti.go.jp/policy/chemical_management/law/prtr/2.html>
【非特許文献４】「一桁ナノダイヤモンド粒子の構造と性質」大澤映二、表面科学、2009,30, 258-266
【非特許文献５】“Chemistry ofSingle-Nano Diamond Particles,” Oosawa, E., in Wudl, F.; Nagase, S.; Akasaka, K. (Ed.), ‘Chemistry of Nanocarbons,’ Chapt. 17, pp. 413-432,John Wiley & Sons, Oxford, 2010.
【非特許文献６】“Consequences ofstrong and diverse electrostatic potential field on the surface of detonationnanodiamond particles,” Oosawa, E.; Ho, D.; Huang, H.; Korobov, M. V.; Rozhkova, N. N.Diam. Rel. Mater. 2009, 18, 904-909.
【非特許文献７】“Cytotoxicity andgenotoxity of carbon nanomaterials”, Schrand, A. M.; Johnson, J.; Dai, L.; Hussain, S. M.; Schlager, J.J.; Zhu, L.; Hong, Y.; Oosawa, E. in Safety of Nanoparticles: FromManufacturing to Medical Applications, Webster, T. J. (Ed.), SpringerScience+Business Media, New York, 2008, Chapter 8, p. 159-188.
【非特許文献８】Bowden, F. P.;Tabor, D. The friction and lubricating of solids. Oxford University Press,Oxford, 366頁. 第一版は1950年発行
【非特許文献９】“Number effects in nanoparticles,” Liu, W. K. et al., in Ho, D. (Ed.) ‘Nanodiamonds: Applications in Biology and Nanoscale Medicine,’ Chapter 12, pp. 253-255, SpringerScience+Business Media, Inc., Norwell, MA., 2010
【非特許文献１０】〔ExxonMobil・SpectraSyn Plus〕インターネット<URL：http://www.exxonmobilchemical.com/Chem-English/brands/spectrasyn-plus-advanced-pao.aspx?ln=productsservices>
【非特許文献１１】〔Kashiwax・KWX〕インターネット<URL：http://www.kashiwax.com/kwx/>
【手続補正８】
【補正対象書類名】明細書
【補正対象項目名】００２９
【補正方法】変更
【補正の内容】
【００２９】
【非特許文献１】日本生産性本部編「レジャー白書2010」、165頁、2010.7．生産性出版社
【非特許文献２】〔環境省・報道発表〕インターネット<URL：http://www.env.go.jp/press/press.php?serial=11117>
【非特許文献３】〔経済産業省・化学物質管理政策〕インターネット<URL：http://www.meti.go.jp/policy/chemical_management/law/prtr/2.html>
【非特許文献４】「一桁ナノダイヤモンド粒子の構造と性質」大澤映二、表面科学、2009,30, 258-266
【非特許文献５】“Chemistry ofSingle-Nano Diamond Particles,” Oosawa, E., in Wudl, F.; Nagase, S.; Akasaka, K. (Ed.), ‘Chemistry of Nanocarbons,’ Chapt. 17, pp. 413-432,John Wiley & Sons, Oxford, 2010.
【非特許文献６】“Consequences ofstrong and diverse electrostatic potential field on the surface of detonationnanodiamond particles,” Oosawa, E.; Ho, D.; Huang, H.; Korobov, M. V.; Rozhkova, N. N.Diam. Rel. Mater. 2009, 18, 904-909.
【非特許文献７】“Cytotoxicity andgenotoxity of carbon nanomaterials”, Schrand, A. M.; Johnson, J.; Dai, L.; Hussain, S. M.; Schlager, J.J.; Zhu, L.; Hong, Y.; Oosawa, E. in Safety of Nanoparticles: FromManufacturing to Medical Applications, Webster, T. J. (Ed.), SpringerScience+Business Media, New York, 2008, Chapter 8, p. 159-188.
【非特許文献８】Bowden, F. P.;Tabor, D. The friction and lubricating of solids. Oxford University Press,Oxford, 366頁. 第一版は1950年発行
【非特許文献９】“Number effects in nanoparticles,” Liu, W. K. et al., in Ho, D. (Ed.) ‘Nanodiamonds: Applications in Biology and Nanoscale Medicine,’ Chapter 12, pp. 253-255, SpringerScience+Business Media, Inc., Norwell, MA., 2010
【非特許文献１０】〔ExxonMobil・SpectraSyn Plus〕インターネット<URL：http://www.exxonmobilchemical.com/Chem-English/brands/spectrasyn-plus-advanced-pao.aspx?ln=productsservices>
【非特許文献１１】〔Kashiwax・KWX〕インターネット<URL：http://www.kashiwax.com/kwx/>
【非特許文献１２】〔SWIX・catalog、P2-4〕インターネット<URL：http://www.swix.co.jp/pdf_catalog/12-13swix_pdf_catalog.htm>
【非特許文献１３】〔TOKO・catalog〕インターネット<URL：http://www.tokowax.co.jp/index/index/category/wax >
【非特許文献１４】〔GALLIUMWEBカタログ、P3-7〕インターネット<URL：http://www.galliumwax.co.jp/catalog/2012snowboard/index.html>
【手続補正９】
【補正対象書類名】明細書
【補正対象項目名】００３３
【補正方法】変更
【補正の内容】
【００３３】    しかし用品市場におけるスキーワックス商品では、今やフッ素樹脂の含有率がHF（ハイフッ素＝フッ素樹脂高濃度添加の意）、LF（ローフッ素＝同低濃度添加の意）そしてNF(ノンフッ素＝同無添加の意、100％ハイドロカーボンも呼ばれる。)といった、スキーワックスの商品価値を表す基準にすらなっているので、フッ素樹脂を含有しない商品は「NF」という安価低性能品に位置づけされてしまう実態がある。そして実際に「NF」商品の滑走性などが「ＨＦ」商品に代わることも無かった（例えば、非特許文献１２、非特許文献１３参照。）。
【手続補正１０】
【補正対象書類名】明細書
【補正対象項目名】００３４
【補正方法】変更
【補正の内容】
【００３４】このため現在の用品市場では、環境問題や生体有害性よりも商業的な理由が優先され、とにかくスキーワックスについてはフッ素樹脂を添加し、「当商品はフッ素入りなので良く滑ります」旨を表示し、購買者側への宣伝文句とする行為が普通になされている。特にスキー・スノーボードなどのアルペン系競技においては「HF」商品やフッ素樹脂そのものの使用が勝利のための常用物とされており、まさに「必要悪」の典型となっている（例えば、非特許文献１４。）。  
【手続補正１１】
【補正対象書類名】明細書
【補正対象項目名】００３６
【補正方法】変更
【補正の内容】
【００３６】よって、このワックスがけをしなくても十分な滑走性を得るために、滑走面材中にスキーワックス同様に添加剤を混合する試みもされてきた。現在まで取り上げられた主な例を挙げると、上述のC：軟質金属、Ga、Inなど、D： 光触媒、TiO2など 、E： 球状粒子、ミクロシリカ、F：ナノ炭素、C60 など、である（００２６項参照）。しかしながらこれら滑走面用添加物としては、現状では安価層状構造体である黒鉛のみが唯一市場に浸透しているだけであり、それ以外の数々の試みは市場浸透度からみれば成功した例がない。
【手続補正１２】
【補正対象書類名】明細書
【補正対象項目名】００３７
【補正方法】変更
【補正の内容】
【００３７】市販されている上記C（軟質金属）混合滑走面材を観察してみると、Ga（ガリウム）粒子が不均一なダマとなって硬質ポリエチレン製シート内に三次元的に点在しているのが見えるだけである。これでは実際に雪氷面と接触できるのは表層に露出している一部の添加剤だけであり、ワックスがけに代替するような十分な潤滑効果が望めるはずもない。また配合された添加剤の多くはシート表層下に埋没されたままで、用具寿命が尽きるまで利用されることも無いため、生産効率やコスト的にみても無駄が多い。
【手続補正１３】
【補正対象書類名】明細書
【補正対象項目名】００３８
【補正方法】変更
【補正の内容】
【００３８】黒鉛が唯一市場に浸透している理由は、主な滑走面材の原料である超高分子量ポリエチレン（UHMWPE）は熱塑性樹脂であるも、その融解時の動粘度が極めて高いため、標準的なスクリュー射出式や高圧高温成型式のいずれの製造法においても添加剤を滑走面材の中に均一に分散させる事が困難である事が要因としてある。そこで黒鉛ならば原料コストが安価なために、大量投入によりこの問題を量で対処的に解消出来るからである。
【手続補正１４】
【補正対象書類名】明細書
【補正対象項目名】００５１
【補正方法】変更
【補正の内容】
【００５１】第二は、我が国固有の重要課題と思われるが、スキーヤー・スノーボーダーら余暇活動参加者にとって対処不能な不快現象を解消し、索道および関連事業者にとっては実質営業期間の延長にもつながるもので、この新添加剤は春の「掴み雪」現象を解消し、たとえ黄砂に覆われた雪氷面であっても滑走移動効果を持続して発揮できることが強く求められる。
【手続補正１５】
【補正対象書類名】明細書
【補正対象項目名】００５２
【補正方法】変更
【補正の内容】
【００５２】第三は、雪氷上で用いられる用具として本質的に避けられない課題であるが、雪山の特徴でもある不安定で急変する気象への対応、そして冬季から春季までの気候変化への追随のために、この新添加剤は現在の全容不明な雪氷上潤滑理論に依存した条件限定の潤滑機構などではなく、その作用が明解な新規の雪氷上潤滑理論に基づいた摩擦低減メカニズムにある事も求められる。
【手続補正１６】
【補正対象書類名】明細書
【補正対象項目名】００６１
【補正方法】変更
【補正の内容】
【００６１】これら上記「四つの条件」を満たすためには、以下に示す「十二の具体的手段」を用いる事が必要である。この十二の具体的手段こそが本発明の課題解決手段に相当する。
【手続補正１７】
【補正対象書類名】明細書
【補正対象項目名】００７４
【補正方法】変更
【補正の内容】
【００７４】以降、請求項ごとにその構成の特徴を記述する。先ず請求項1と2に係る潤滑剤組成物の基本構成とその中心であるナノダイヤモンド粒子からなる添加剤は、本発明において最も重要な特徴であり、本発明の課題を解決するための手段として、ナノダイヤモンド粒子に水溶性高硬度ナノ粒子の「ころ」としての機能をもたせて、新たな雪氷上潤滑理論を発現させるために必要な上述のナノサイズ「ころ」作用の四条件のうち、最初の形状条件と個数条件の二条件を満たせる唯一の方法である。
【手続補正１８】
【補正対象書類名】明細書
【補正対象項目名】００７６
【補正方法】変更
【補正の内容】
【００７６】この新しいナノダイヤモンド一次単結晶粒子は、大きさは動的光散乱法（Dynamic light scattering＝DLS法）にて計測された体積平均粒子径が（以下、平均粒子径と略称す）、3.7±0.6nmで、形状は球に近い擬球形である。
【手続補正１９】
【補正対象書類名】明細書
【補正対象項目名】００７９
【補正方法】変更
【補正の内容】
【００７９】この新しいナノダイヤモンド粒子のコアは、モース硬度10、ヤング率 1050GPaと地球上で、最も硬く、変形しにくいダイヤモンド単結晶であるために、黄砂成分中でもっとも硬い石英（モース硬度7）よりもはるかに硬く、黄砂によってさえ磨耗することがない。この唯一の物性によりにナノサイズ「ころ」としてミクロレベルの真実接触面の高い圧力の下で転がるための理想的素材である。一方シェルは薄いグラフェン層であるが、コア部に比較し遥かに柔軟であるので容易に層間滑りを起こし、コア部と滑走面および雪氷面との間の恰好の緩衝帯となり、僅かな応力によって「ころ」作用の転がりを誘発すると考えた（例えば、非特許文献５参照。）。
【手続補正２０】
【補正対象書類名】明細書
【補正対象項目名】００８１
【補正方法】変更
【補正の内容】
【００８１】そこで、ハードコア・ソフトシェル二重構造でありながら、擬球形により、僅かな応力による転がり効果も期待されるこの新しいナノダイヤモンド粒子を、予め疎水性スキーワックス基材に分散させておくと、滑走時に雪氷面との摩擦によって遥かに軟質であるワックス基材が剥ぎ取られるにつれて、ナノダイヤモンド粒子が、雪氷上滑走移動用具直下にこぼれ出し、雪氷面の融水層に溶解することで、無数のナノサイズ「ころ」粒子となり、その転がり作用によって摩擦を低減させて新たな雪氷上の潤滑効果を発現すると考えた。
【手続補正２１】
【補正対象書類名】明細書
【補正対象項目名】００９０
【補正方法】変更
【補正の内容】
【００９０】然し、この雪氷上摩擦力発生抑制メカニズムによる新たな雪氷上潤滑理論の発現には、前提条件としてその界面の真実接触面領域に常に多数のナノサイズの「ころ」が十分に供給されなくてはならない。この真実接触面は発生する時期と場所は予測不可能であるので、結局は雪氷上滑走移動用具の潤滑組成物の基材中には非常に多くの個数のナノサイズの「ころ」作用を持つ粒子が存在しなくてはならない。これがナノサイズ「ころ」作用の条件に個数条件が必要な理由である。    
【手続補正２２】
【補正対象書類名】明細書
【補正対象項目名】００９４
【補正方法】変更
【補正の内容】
【００９４】ここでは一般的なスキー板をモデルとしてその寸法から上下の湾曲部を除き、幅100 mm、長さ1500 mm、みかけの滑走面面積を1.5×10の５乗 mm2とする。別の実験で、軟鉄板2枚を用いて、初期真実接触点の総面積を求めた結果があり、それよると、初期真実接触面積はみかけ接触面積の0.001%である（例えば、非特許文献８参照。）。
【手続補正２３】
【補正対象書類名】明細書
【補正対象項目名】００９７
【補正方法】変更
【補正の内容】
【００９７】以上までの計算上からの推定は、実際に、極めて僅かの濃度のナノダイヤモンド粒子を分散させたスキーワックスを用いたスキー等で雪氷上を滑走させてみるのが最も確実な検証になるが、実施例に示すようにこの推定は実証された。
【手続補正２４】
【補正対象書類名】明細書
【補正対象項目名】０１０５
【補正方法】変更
【補正の内容】
【０１０５】本発明のナノダイヤモンド一次単結晶粒子と、上述のナノダイヤモンド凝膠体二次粒子とを区別するために、以降はこれらのナノダイヤモンド凝膠体二次粒子商品群を「CD/UDD」と呼称する。また、以降「ナノダイヤモンド粒子」とは、基本的に本発明のナノダイヤモンド一次単結晶粒子（分散体）を指すものとする。
【手続補正２５】
【補正対象書類名】明細書
【補正対象項目名】０１０７
【補正方法】変更
【補正の内容】
【０１０７】請求項3からと7に係る様々な基材も本発明において欠かせな重要な構成であり、本発明の課題を解決するための手段として用いるナノダイヤモンド粒子からなる新添加剤を、実際に雪氷上滑走移動において予測不可能に発生する上述の真実接触面に対して供給をするために、この添加剤を無数に蓄えそして十分な個数を供給し続けるために必要なナノサイズ「ころ」作用の四条件のうち遍在条件を満たす。
【手続補正２６】
【補正対象書類名】明細書
【補正対象項目名】０１１１
【補正方法】変更
【補正の内容】
【０１１１】請求項８から１１に係る製造方法は、本発明に不可欠なその製造法であり、本発明の課題を解決するための手段として、ナノダイヤモンド粒子からなる添加剤を、上述のナノサイズ「ころ」作用四条件のうち形状条件と個数条件と遍在条件とに適合させながら潤滑剤組成物の基材などに分散させるための唯一の方法である。
【手続補正２７】
【補正対象書類名】明細書
【補正対象項目名】０１１４
【補正方法】変更
【補正の内容】
【０１１４】次にこの請求項８から１1に係る製造方法がどのように本発明に不可欠かを従来技術と対比して詳細に解説する。
【手続補正２８】
【補正対象書類名】明細書
【補正対象項目名】０１１６
【補正方法】変更
【補正の内容】
【０１１６】よって、ナノ粒子を使った潤滑アイデア自体は、有名なサッカーボール型分子C60フラーレンやfumed silicaが発見された際にも多くの人が思いつき、ナノベアリング応用を期待して熱心に適用が試みられた。しかしこれらナノサイズの限界に近く、単純均一構造を持つナノ粒子においては、凝集性があまりにも高く実際に最少粒子自体がナノポアを持つ高次凝集体である。よっていかなる既知の界面活性剤を分散に用いても、溶媒中で一次粒子分散を作ることが困難であり、C60フラーレンなどでは本発明のような高い潤滑性を得ることが出来ていない。
【手続補正２９】
【補正対象書類名】明細書
【補正対象項目名】０１２５
【補正方法】変更
【補正の内容】
【０１２５】具体的には請求項８から１１に係る製造方法に共通した特徴である、先ずナノダイヤモンド粒子をその分散先基材毎の極性に適合したコロイド状態の分散媒として安定させたことである。コロイド状態を経由させることで、ナノダイヤモンド粒子はその特徴的なシェル層が溶媒と相互作用を起こし凝集性を失い安定するのであり、本発明の製造方法において不可欠である。
【手続補正３０】
【補正対象書類名】明細書
【補正対象項目名】０１２９
【補正方法】変更
【補正の内容】
【０１２９】本発明の技術思想の中心はナノサイズ「ころ」作用四条件であり、これを考慮せずに構成されまた従来技術で製造されたC60添加スキーワックスと、本発明によるナノサイズ「ころ」作用四条件の発現を目的に構成されたナノダイヤモンド分散スキーワックスとの技術思想の差は、実際に黄砂が降下した雪氷上で滑走比較すれば明らかである。
【手続補正３１】
【補正対象書類名】明細書
【補正対象項目名】０１４５
【補正方法】変更
【補正の内容】
【０１４５】例えばスキー・スノーボード等が備えるポリエチレン製滑走面材であれば現在も広く使われている固形パラフィンがその普及度から有利であるが、その固形パラフィンもスキー用アイロンで加熱溶解させて塗布するホットワクシング、そのまま直接擦り付けるコールドワクシング（生塗り）では適した基材は異なる。またその滑走面の両端にあるエッジ、さらにスケートのブレードは金属製であり固形パラフィンは定着しないので、金属素材に定着が優れた液体を用いるなどの形態変更が必要となる。なお基材の素材にも前述の「安全性条件」に適合するものが用いられるべきである。
【手続補正３２】
【補正対象書類名】明細書
【補正対象項目名】０１４９
【補正方法】変更
【補正の内容】
【０１４９】炭化水素系合成ワックスには、上述の利点がある反面で石油由来人工パラフィンよりも融点が高い欠点がある。例えばホットワクシングでは高いスキー用アイロン温度設定での作業が要求されるので、仮に作業ミスが発生した時の滑走面材に対するダメージが懸念される。この点ではFT法ワックスの方がより低融点で加熱融解時の流動性も高いために施工性に富む点で有利である。一方で施工に成功した後の耐磨耗性では低分子量ポリオレフィンの方が有利である。よって施工者のワクシングの技量によって、適当な種類を選択または併用すればよい。なお低分子量ポリオレフィンの扱いづらさを軽減するために低融点固形パラフィンなどを混和する事もできる。
【手続補正３３】
【補正対象書類名】明細書
【補正対象項目名】０１５３
【補正方法】変更
【補正の内容】
【０１５３】また基材としてスキー用資材である滑走面材の原料（超高分子量ポリエチレン、UHMWPE）にナノダイヤモンド粒子を添加する形態も考えられる。しかしUHMWPE は融点まで加熱しても全く流動しないために、一般的な混合操作で添加剤分散を試みた過去の例がみな目的を未達成に終わっている事をまず考慮すべきである（0036−0038項参照）。また滑走面材の中に添加剤を分散させるには、添加剤使用量はスキーワックス形態での数十倍以上にも達するので相応の生産設備やコストも必要となる。よって本形態の実施にはまずこれらの点が十分考慮されるべきである。
【手続補正３４】
【補正対象書類名】明細書
【補正対象項目名】０１５７
【補正方法】変更
【補正の内容】
【０１５７】なおナノダイヤモンド粒子は一般に水溶性を示すために、そのままではPAOなど炭化水素系合成油媒質に分散しない。このため、媒質への分散剤として非イオン性グリセリンモノオレエート、ポリオキシエチレンステアリルエーテルリン酸などの界面活性剤分子を利用することができる。もちろんこの分散の目的を達成するために用いることの出来る媒質分散剤はこれらに限定されない。本実施形態においては濃度0.1w/v%程度の安定した炭化水素系合成油コロイドを得ることが可能であったが、濃度1w/v％の高濃度コロイドでは1.5ヶ月程度でコロイドに異常が見られたので有る程度の濃度上限がある。炭化水素系合成油コロイドの保管は、密閉容器にてアルゴンガスなどの不活性ガスを封入し冷暗所での保管が必要である。
【手続補正３５】
【補正対象書類名】明細書
【補正対象項目名】０１５８
【補正方法】変更
【補正の内容】
【０１５８】次に上記基材がシリコーン製品である場合には、エチレングリコール、プロピレングリコール、2-メトキシエタノールまたはエタノール、メタノールなどの低級アルコールなど極性を有す媒質を利用する事が出来るが、特にエチレングリコール、プロピレングリコールはナノダイヤモンド粒子への飽和溶解度が3％と高濃度であるので有利である。よってポリエチレングリコール(PEG)、ポリプロピレングリコールなどのポリマーを中間物質として経由し変性シリコーンを基材として様々なシリコーン製品に展開する事が可能である。もちろんこの展開の目的を達成するために用いることの出来るコロイド媒質、中間物質はこれらに限定されない。本実施形態においては、コロイドではなく、コロイド溶媒を一部蒸発させることによって得られるハードゲルを得ることができるので保管上で有利である。
【手続補正３６】
【補正対象書類名】明細書
【補正対象項目名】０１７２
【補正方法】変更
【補正の内容】
【０１７２】「炭化水素系合成油による分散媒」実施例1に示すナノダイヤモンド粒子「ND」を、直接型の操作でパラフィン系炭化水素、オレフィン系炭化水素などの基材に分散させるためには、非極性溶媒として炭化水素系合成油の中から、Exxon-Mobil社製ポリアルファオレフィン（PAO）の改良品SpectraSyn Plus６を用いた。これはPourPointが氷点下50℃以下であるため低温気象条件下で使用される雪氷上滑走移動用具での使用にも用いることが出来る。またその動粘度は6cStと国内で一般市販されているPAO素材の動粘度（50-127 mm2/s）に比べ相当低く、またこの動粘度値は後述する固形パラフィン基材の加熱融解時の動粘度値（6 mm2/s程度）とほぼ同じである事でその分散性が極めて優れ、本実施形態の分散媒として最適なものである（例えば、非特許文献１０参照。）。
【手続補正３７】
【補正対象書類名】明細書
【補正対象項目名】０１７３
【補正方法】変更
【補正の内容】
【０１７３】具体的な分散媒の調製について記す。1L三角フラスコに、炭化水素系合成油として上述のPAO改良品SpectraSyn Plus6を１L、ナノダイヤモンド粒子「ND」を1.0g (0.1w/v%)、媒質分散剤としてエンジンオイルに添加剤を分散させる際に良く使われる非イオン性のグリセリンモノオレエートとして花王株式会社製、レオドールMO-60を10.0g、さらに弱酸性のポリオキシエチレンステアリルエーテルリン酸として東邦化学工業株式会社製、LB400、フォスファノールを10.0g 、すなわち両媒質分散剤それぞれ1.0w/v%を、この順に加え、室温環境下、不活性ガスとして窒素雰囲気下、磁気撹拌装置を使用して２日間の磁気攪拌を継続した。半日後から「ND」の溶解が始まり、１日後には、固形物がほぼ完全に消滅し、２日後には薄い藍色を帯びた淡黒色透明溶液が得られた。なおこの操作によって得られた分散媒を以降の実施例では「ND-PAO」と称する。
【手続補正３８】
【補正対象書類名】明細書
【補正対象項目名】０１７６
【補正方法】変更
【補正の内容】
【０１７６】「低級アルコールによる分散媒」実施例1に示す「ND」を、間接型の操作でシリコーン製品基材に分散させるために、極性溶媒としての低級アルコールの中からエチレングリコールを用いた。本実施例ではエチレングリコールを重合させたPEGを中間物質として経由した。これらは和光純薬株式会社、東京化成工業株式会社などの試験用試薬取り扱い会社から容易に入手可能である。今回は中間物質に和光純薬株式会社製、ポリエチレングリコール4000  (PEG4000)平均分子量3000、mp50-60℃、を用意し中間物質とした。
【手続補正３９】
【補正対象書類名】明細書
【補正対象項目名】０１７７
【補正方法】変更
【補正の内容】
【０１７７】NDについては分散系であるナノ炭素研究所製ナノアマンド水性コロイドから直接溶媒置換によって同エチレングリコールコロイドを得た。DLS法によってこのコロイドの粒度分布を測定したところ、粒径 4.1±0.6nm(100.00vol%)であり、本発明の課題解決手段の条件を満たしていた。コロイド濃度は2.00w/v%、ゼータ電位+47.6mであった。このナノアマンド・エチレングリコールコロイドは以降「ND-EG」と略称する。
【手続補正４０】
【補正対象書類名】明細書
【補正対象項目名】０１７８
【補正方法】変更
【補正の内容】
【０１７８】具体的な分散媒の調製について記す。先ず中間物質PEG4000を57ｇ秤量し、ビーカーに入れ上部をラップで覆った状態で加熱撹拌した。液温62.4℃で溶解し、完全に透明となったのを確認した後に、前記ND-EG2.5ml（ND＝0.05ｇ）を滴下後、約30分間磁気攪拌装置により加熱撹拌を続けた。加熱攪拌中に渦流により大気中の酸素を引き込みナノダイヤモンド粒子に特有の表面構造を酸化させないように、実験用高純度N2ガスをビーカー上のラップを貫通させたガラス管を通じて導入し、滴下撹拌を行った。
【手続補正４１】
【補正対象書類名】明細書
【補正対象項目名】０１８２
【補正方法】変更
【補正の内容】
【０１８２】具体的な分散媒の調製について記す。はじめに機器類の事前準備としてはドラフトチャンバー内に磁気攪拌装置、アーム類、冷却水配管を設置し、磁気攪拌装置の加熱盤上にはシリコーンオイルバスを置いて80℃に加熱し、温度計と還流冷却器を備え磁気回転子を入れた300ｍｌ三口フラスコを取り付けた。
【手続補正４２】
【補正対象書類名】明細書
【補正対象項目名】０１８４
【補正方法】変更
【補正の内容】
【０１８４】この操作によって得られた混合液のND濃度は0.2ｗ/v％、水分含量は約0.4％、である。この混合液は以下の実施例で「ND-H2O-ｔBu」と略称する。
【手続補正４３】
【補正対象書類名】明細書
【補正対象項目名】０１８８
【補正方法】変更
【補正の内容】
【０１８８】具体的な基材の調製について述べる。先ずは基材となる固形パラフィンの主成分、副成分を定め予め混合調整する。本操作では上記ParaffinWax-140（以下、P140と略称する。）を全量使用した。次にビーカーにP140を約130ｇ入れ電熱器で完全に加熱溶解させて、一度濾紙を通し不純物を濾過した後、100g分を秤量して300mlビーカーに移した。このビーカーを磁気攪拌装置上に定置して紙製蓋を被せ84℃まで加熱後、保温させた。実験用高純度N2ガスをビーカー上の紙蓋切れ目からシリコーン製耐熱チューブを通じて導入を続け、実施例2の「ND-PAO」を1g秤量しホールピペットで滴下させ磁気攪拌を17分間行った。最後にチンダル現象 による散乱が、ビーカー内で万遍なくおきることを確かめた後、直ちにビーカー内容物を冷却成形用のシリコーン製容器に移し、冷水槽に浸して冷却した。
【手続補正４４】
【補正対象書類名】明細書
【補正対象項目名】０１９１
【補正方法】変更
【補正の内容】
【０１９１】具体的な基材の調製について述べる。先ずは基材となる炭化水素系合成ワックスを準備し必要に応じ予め添加調整する。本操作では上記三井ハイワックス400P（以下、PE400と略称する。）をそのまま全量使用した。次にビーカーにPE400を200ｇ入れ完全に加熱溶解させて、このビーカーを磁気攪拌装置上に定置して樹脂蓋を被せ150℃まで加熱後、磁気攪拌し全量溶解させた。実験用高純度N2ガスをビーカー上蓋隙間からシリコーン製耐熱チューブを通じて導入した状態で、実施例2の「ND-PAO」を10g秤量しホールピペットから磁気攪拌下、ビーカー内に滴下した。操作温度が高いため攪拌中に基材中のND分散状態を、常時レーザーポインターを複数方向から当てながら、チンダル現象による散乱光を観察し均一分散を確認した。24分間撹拌継続後、操作を終了し、ビーカー内容物を冷却成形用のシリコーン製容器に移し、冷水槽に浸して急冷却した。
【手続補正４５】
【補正対象書類名】明細書
【補正対象項目名】０１９５
【補正方法】変更
【補正の内容】
【０１９５】特に動粘度が6 mm2/s at100℃とND-PAO（SpectraSyn Plus6）の動粘度（@ 100°C ６cst ）と同じであるので固形基材としては最もND-PAOの分散性に優れると考えられる。融点は73.5℃でワクシング作業温度を80℃とすれば動粘度は9mm2/Sと低粘度でもある。難点としては滑走面材（UHMWPE/HDPEなど）への浸透性、定着性が劣るので、ホットワクシング手法による滑走用ワックスとして全量を成分に用いるのが最良形態である。従来技術としては滑走性に特化させて、ベースワックスの上からワクシングする滑走用ワックスに相当する。
【手続補正４６】
【補正対象書類名】明細書
【補正対象項目名】０１９６
【補正方法】変更
【補正の内容】
【０１９６】具体的な基材の調製について述べる。先ずは基材となるFT法ワックスの主成分、副成分を定め予め添加調整する。本操作では上記FT-0165を全量使用したが、もちろん他のFT法ワックス同士と混合させて調整しても良い。次にビーカーＡにFT-0165を入れて、電熱器で完全に加熱溶解させて総量400g分となるよう900ml耐熱ガラス容器Ｂに移した。この容器Ｂを磁気攪拌装置上に定置し、樹脂蓋を被せて、以降の分散操作が最適となるように130℃温度設定で加熱し、非接触型温度計を使い容器Ｂ中のFT-0165溶解液温度が100℃に保たれるように調整した。次に実験用高純度N2ガスを上部から噴出を続けた状態で以降の操作を行った。基材へのNDの分散を簡易確認出来る様に容器Bに複数のレーザーポインターを当てておいた。この状態で実施例2の「ND-PAO」を4g秤量し容器B上部から注ぐと、直ちにただちに複数方向からチンダル現象を確認できた。7分間磁気攪拌を続けた後、容器B内容物を冷却成形用のシリコーン製容器に移し、冷水槽に浸して冷却固化させた。
【手続補正４７】
【補正対象書類名】明細書
【補正対象項目名】０１９８
【補正方法】変更
【補正の内容】
【０１９８】「FT法により生成するワックスによる基材その２」上述の通り「ND-PAO-FT」はホットワクシング用途であるので次にコールドワクシング用の調整について記述する。先ずは基材となるFT法ワックスの主成分、副成分を定め予め添加調整しておく。本操作では上記FT-0165を全量使用したが、もちろん他のFT法ワックス同士と混合させて調整しても良い。次に上記の実施例４の操作を行い、NDとしてナノアマンド5％水性コロイドを240ml、中間物質としてt-BuOhを59.5ｇを用いて、ND濃度0.2ｗ/v％、の混合液「ND-H2O-ｔBu 」を調整した。三番目に、このND-H2O-ｔBu を4.7ｇ（比重0.78581として5.98ml）取り、三口フラスコ中で31.5ｇのFT-0165を加熱融解させた液体中に注入して、アルゴン雰囲気下で磁気攪拌を行った。基材中のND分散状態はレーザーポインターを複数方向から当てて、チンダル現象により検査し、散乱が万遍なくおきることを確認できた約30分後にこの操作を中止し、三口フラスコ複合組成物をPP製容器に移し、強い水流を当てながらPP製容器を回転させて均一に急冷させてPP容器内に凝固物を得た。
【手続補正４８】
【補正対象書類名】明細書
【補正対象項目名】０１９９
【補正方法】変更
【補正の内容】
【０１９９】冷却固化した複合組成物には、0.028wt％のNDが分散されている。最後に四番目の操作で、このND分散済み複合組成物を5.1ｇ秤量し、上記FT-0165を10.2ｇ秤量したものとそれぞれ加熱溶解させ磁気攪拌させて最終基材を得た。最終基材には0.009wt％のNDが分散されている。以上までの操作で得られたこの最終基材を以降の実施例においては「ND-tBu-FT」と称する。
【手続補正４９】
【補正対象書類名】明細書
【補正対象項目名】０２０２
【補正方法】変更
【補正の内容】
【０２０２】具体的な基材の調製について述べる。先ずは基材を選定するが本実施例では上述の通りエルクリスタCPAO gradeXF4100（以下CPAO と略称す）を全量使用した。次に100ml三角フラスコにCPAOを50ｇ秤量して入れ電熱盤上で完全に加熱溶解させた。この三角フラスコを磁気攪拌装置上で95℃まで加熱後、保温させた。アルゴンガスを三角フラス上からガラス製先細管経由で三角フラスコ内に流出を続けた状態で、実施例2の「ND-PAO」を5g秤量し、ホールピペットで滴下し、続いて37分間電磁攪拌を行った。この時点におけるチンダル現象を調べ（図７、A参照）、その後、三角フラスコ内容物を冷却成形用の樹脂ペトリ皿容器に移し（図7、B参照）、そのまま室内にて空冷した。以上までの操作で得られたこの固形物を以降の実施例において「ND-PAO-CPAO」と称する。
【手続補正５０】
【補正対象書類名】明細書
【補正対象項目名】０２０５
【補正方法】変更
【補正の内容】
【０２０５】  「シロキサン結合骨格を持つポリマーによる基材その1」NDを分散媒経由でその中に含有させるための潤滑組成物の基材として、ポリオキシエチレン変性の水分散性低融点シリコーンワックスを用いた。これは化粧品材料でありスキンケア用途で用いられている親水性ソフトワックスであり、東レ・ダウコーニング株式会社製DOWCORNING 2501COSMETICWAXである。本実施例ではこれをそのままコールドワクシング用のソフトワックス状の基材としてエッジまたはブレード及びサイドウォル用に用いた。
【手続補正５１】
【補正対象書類名】明細書
【補正対象項目名】０２０６
【補正方法】変更
【補正の内容】
【０２０６】具体的な基材の調製について述べる。先ずは基材を選定するが本実施例では上述の通りDOWCORNING 2501COSMETICWAX（以下2501 と略称する）を全量使用した。耐熱ガラスカップ内に2501を18.5ｇ秤量し、電熱盤上で加熱溶解させた。このカップを磁気攪拌装置上に定置して76℃まで加熱後、この温度に保持した。この中に実施例3の「ND-EG-PEG」を0.37g秤量して投入し磁気攪拌を約17分間行った。チンダル現象による散乱にてNDの遍在を検査して、後カップ内容物を冷却成形用のPP樹脂容器に移し、そのまま室内にて空冷した。
【手続補正５２】
【補正対象書類名】明細書
【補正対象項目名】０２０８
【補正方法】変更
【補正の内容】
【０２０８】「シロキサン結合骨格を持つポリマーによる基材その２」NDを分散媒経由でその中に含有させるための潤滑組成物の基材としては、高級脂肪酸エステル変性シリコーンオイルを用いた。これは潤滑性に優れた変性シリコーンの一種で潤滑油添加剤としてモメンティブ・パフォーマンス・マテリアルズ・ジャパン社製TSF411（以下411と略称す）として市販されている。これは流動点が0℃であるので本実施例ではその仕様環境で同TSF431（メチルフェニルシリコーンオイル、以下431と略称する）と混合して液体状の基材としてエッジまたはブレード及びサイドウォル用に用いた。
【手続補正５３】
【補正対象書類名】明細書
【補正対象項目名】０２０９
【補正方法】変更
【補正の内容】
【０２０９】具体的な基材の調製について記す。先ずは基材を選定するが本実施例では上述の通り411を431と混合して使用した。滅菌樹脂カップ内に411を80.3ｇ秤量して入れカップを磁気攪拌装置上に定置しておき、この中に実施例2の「ND-PAO」を2.4g秤量して滴下し、その42分間磁気攪拌を続けた。次にこの混合液を16ｇとなるように秤取し、431を84g加えて磁気攪拌をさらに40分間続けた。チンダル現象による散乱にて基材中のND遍在を簡易に検査し、後カップ内混合液を濾紙で濾過した。
【手続補正５４】
【補正対象書類名】明細書
【補正対象項目名】０２１０
【補正方法】変更
【補正の内容】
【０２１０】以上の操作で得られた液体状の基材は0.0006w/v％のNDが分散している。以上までの操作で得られた液体状基材を以降の実施例において「ND-PAO-411+431」と称する。
【手続補正５５】
【補正対象書類名】明細書
【補正対象項目名】０２１２
【補正方法】変更
【補正の内容】
【０２１２】具体的な基材の調製について記す。ビーカーに上述のKWX-3を75ｇ秤量して入れ、電熱盤上で85度付近まで加熱溶解させた。このKWX-3溶融体を、シリコンカップに注ぎ保温し、実験用高純度N2ガスを上部から吹き付けながら以降の操作を行った。次に実施例2の「ND-PAO」を0.87g秤量して投入し磁気攪拌を約17分間行った。チンダル現象による散乱にて基材中のND遍在を簡易に検査し、基材中のND遍在条件を満たすかを、レーザーポインターを複数方向から当てTyndall effect による散乱にて簡易検査し、シリコンカップをそのまま室内にて空冷した。
【手続補正５６】
【補正対象書類名】明細書
【補正対象項目名】０２１８
【補正方法】変更
【補正の内容】
【０２１８】なおND-PAO-P140は単体での滑走性能は劣るため、滑走面材への定着が弱い「ND-PAO-FT」の前処理用として従来技術でいう下地（定着用またはベース）ワックスとして用いるのが望ましい。ND-PAO-PE400は単体では施工が困難であるため、同合成ワックス系でより低融点低粘度であるFT法ワックスに混合させて従来技術で言う硬質ベースワックスとして用いるのが望ましい。なおND-PAO-KWX3はKashiwaxの商品群であるのでKashiwaxの推奨する用法と手順とで用いる。
【手続補正５７】
【補正対象書類名】明細書
【補正対象項目名】０２２２
【補正方法】変更
【補正の内容】
【０２２２】最後に、「ND-PAO-411+431」は、コールドワクシングの中に分類されるが、従来の液体系スキーワックスと同手法で施工する。すなわち液体をそのまま滑走面材に垂らしてクロスなどで塗り広げる、またはスポンジなどに垂らしてエッジやサイドウォルなどの狭い部分に塗る。なおスケートのブレードに用いる場合は、雪氷と接触するブレードの底面だけでなく側面全体にも塗ることで、底面側に垂れて補給されるようにする事もできる。これの実施の形態をとるものは、以降の実施例において「/Liquid」を付し、「ND-PAO-411+431/Liquid」の様に呼称し上述のWAX類とは区別する。
【手続補正５８】
【補正対象書類名】明細書
【補正対象項目名】０２２８
【補正方法】変更
【補正の内容】
【０２２８】滑走面の状態では、市販フッ素樹脂含有スキーワックスを塗った滑走面は、ワックスがかなり剥落しており、更に雪面を黒褐色に変色させている黄砂付着物質が、滑走面に吸着され染みていた（図３Ｂ、奥のスノーボード参照）。一方、本発明のND分散WAXLub適用滑走面は、ワックス剥落、黒褐色の黄砂付着物資の吸着がともに認められず、このような環境下でも黄砂、黄砂付着物質などの影響を受けていない（図３Ｂ、手前のスノーボード）。
【手続補正５９】
【補正対象書類名】明細書
【補正対象項目名】０２４３
【補正方法】変更
【補正の内容】
【０２４３】試験概要日付：平成23年4月23日、場所：苗場かぐらスキー場、気象：雨。試験方法：１km程度の滑走コースを数本スノーボードで滑走して滑走性評価、また滑走面の状態を総合評価する。
【手続補正６０】
【補正対象書類名】明細書
【補正対象項目名】０２５１
【補正方法】変更
【補正の内容】
【０２５１】試験環境：まず2012シーズン初日であり、コース上はブランク明けの滑走者で混雑していたので試験方法は上記の簡易法とした。なお当スキー場は前日に営業開始したばかりであり、このため雪氷面は人工雪独特の硬くワックス磨耗消費も激しい状況であったため試験体ごとの差が明確であった。
【手続補正６１】
【補正対象書類名】明細書
【補正対象項目名】０２５４
【補正方法】変更
【補正の内容】
【０２５４】「滑走試験７：市販爆発法ナノダイヤモンドとの比較２」本実施例では、本発明の製造上の重要特徴である、まずナノダイヤモンド粒子からなる添加剤を基材に応対したコロイド溶液からなる分散媒にしておき、次に基材の極性に応対した直接型または間接型操作で基材に分散させる製造方法と、この重要特徴を欠いてナノダイヤモンド粒子や本質的には同じナノ炭素であるC60フラーレンからなる添加剤を目に見える微粉末状態のまま加熱溶解させた基材に入れる従来型製造法（例えば０１１７項参照）との比較のための滑走試験を行った。
【手続補正６２】
【補正対象書類名】明細書
【補正対象項目名】０２５７
【補正方法】変更
【補正の内容】
【０２５７】試験環境：まず当スキー場は首都圏で最も早くOPENする室内スキー場であり、前日に2013シーズンの開業を迎えたばかりなので、初滑りを待ち焦がれた大勢のスキー・スノーボード客で非常に混雑していた。このため発明者は周囲のスキー・スノーボード客への安全配慮を第一とし、滑走試験をゲレンデ端を利用した上記の簡易式とした。なお当スキー場の雪質は、ICSによる人工雪で、これは雪というよりはかき氷に近い特性であり、コース長300ｍ程度とはいえそのワックス磨耗は意外と早い。また、室内スキー場とはいえ一部は側壁が無く開放しているのでここからの外気の舞い込み、または雪面整備車両からだと思われる、様々な汚れがコース上に観察された。
【手続補正６３】
【補正対象書類名】明細書
【補正対象項目名】０２５８
【補正方法】変更
【補正の内容】
【０２５８】試験結果：滑走評価では、ワックスがけ直後の停止状態からの滑り出し感を比較すれば、もっとも滑り出し感が優れていたのはND-tBu-FT/ColdWAXであり、次にND-PAO-FT/HotWAXと市販品Dが同程度、以降は市販品C、市販品A、CD/UDDスキーワックス2号の順であった。CD/UDDスキーワックス2号はワックスがけ直後はひっかかり感があり、ワックス消耗によってこれが次第に消えていくのがわかる状況であった。また、高濃度フッ素系（市販品C、市販品D）はワックスがけ直後からの初期の滑走感の弱まりが早かった。次に二点間通過時間対比では、スキーワックス無施工の6.88秒を基準通過時間として、CD/UDDスキーワックス2号-0.06秒、市販品C-0.28秒、市販品A-0.29秒、市販品D-0.30秒、ND-tBu-FT/ColdWAX-0.63秒、ND-PAO-FT/HotWAX-0.69秒、のそれぞれ時間短縮となった。
【手続補正６４】
【補正対象書類名】明細書
【補正対象項目名】０２５９
【補正方法】変更
【補正の内容】
【０２５９】考察：本発明の製造上の重要特徴を欠いては、ナノ粒子からなる添加剤をスキーワックス基材中に遍在させることは出来ず寧ろ逆効果でさえあることが確認できた。数的評価ではCD/UDDスキーワックス2号は僅かにワックス無施工を上回ったが、これは上述の通りワックス消耗による影響が大きく、ワックスがけ直後であれば、ひっかかり感があるので明らかに及ばなかった。また本質的には同じナノ炭素であるC60とフッ素系潤滑剤を「超」高含有させたとする市販品Dも、本発明のND分散WAXLubと大きな効果差が生じた。これも市販品Dが従来技術の延長上の製造法であるのがその理由だと考えられる。
【手続補正６５】
【補正対象書類名】明細書
【補正対象項目名】０２６４
【補正方法】変更
【補正の内容】
【０２６４】試験結果：まず全体評価では、山頂からの滑走において本発明のND分散WAXLubには低温渋りは発生せず、特に厳冬期用に特化して基材を構成した試験体NDCP44（オレフィン系炭化水素系基材）は山頂付近で良好な滑走性能を発揮した。次に到達距離試験においてはホットワックス用ではまず一番手前に市販品Fが停止し、試験体NDCPFTはその先3.3ｍの位置に、試験体Eはさらに2.2ｍ先の位置に停止した。コールドワクシング用では試験体Fの4.5ｍ手前に試験体NDCP44は停止し、市販品Gはそのさらに手前3.6ｍにそれぞれ停止した。
【手続補正６６】
【補正対象書類名】明細書
【補正対象項目名】０２６７
【補正方法】変更
【補正の内容】
【０２６７】試験概要：日付：平成24年1月1日、場所：北海道札幌国際スキー場、気象：曇天から小雪、風ややあり、気温氷点下８から氷点下11 ℃、。雪質：パウダースノー、積雪量195cm。試験方法：スキー場下部からリフトで上がり実施例１８で使用したウッディー第三リフト脇斜面にて定位置から直滑降し停止位置までの到達距離で計測した。この試験においては試験者を小学生と大学生のスキー初心者兄弟として、また用具は一般実態に沿い保管されたものにて、本発明のND分散WAXLubがいわゆるファミリースキー層でも効果発現可能かを確認した。
【手続補正６７】
【補正対象書類名】明細書
【補正対象項目名】０２６８
【補正方法】変更
【補正の内容】
【０２６８】試験体：用具は一般実態に沿い、試験者両名がそれまで物置に放置の無手入れのスキー板をあえて使用した。但し子供の怪我防止のためこの板のバリやささくれなどは発明者が手直しを行い除去した。本発明のND分散WAXLubの中から最も軟質な「ND-EG-PEG-2501/SoftWAX」（実施例9。以下、ND2501と略称す）を用いた。また対比用として市販の安価柔軟NF商品としてHolmenkol製NaturalSkiwaxStick（以下市販品Hと略称す）を、市販安価HF商品としてTOKO製DiblocHighFluoro Rub-onWax（以下市販品Iと略称す）とを、それぞれ用意した。滑走試験前に先ずコルードワックスでのワックスがけの手順を発明者が実演してみせた後に、試験者両名に行わせその作業精度も観察した。
【手続補正６８】
【補正対象書類名】明細書
【補正対象項目名】０２７３
【補正方法】変更
【補正の内容】
【０２７３】試験概要：試験概要：日付：平成2４年2月25日、場所：長野県アサマ２０００スキー場、気象：天候：雪、気温：氷点下4から０℃、雪温：氷点下５から氷点下２℃。雪質：新雪でやや湿り。試験方法：試験者はGSレースに出場するため、そのインスペクション（競技要項説明後に実施されるレースコース下見滑走）やウォームアップ等において本発明によるND分散WAXLubと市販競技用ワックス群とのそれぞれ複数構成とを施工したスキー板の両方を比較した結果、本発明によるND分散WAXLub複数構成の競技性能が優れるため、レース本戦では一本目からこれを使用した。もちろん本戦では両方のタイム比較はできないので、競技者が有す競技速度域における当日全体での体感判定に基づいて考察する。
【手続補正６９】
【補正対象書類名】明細書
【補正対象項目名】０２７７
【補正方法】変更
【補正の内容】
【０２７７】考察としては、本発明のND分散WAXLubはこのようなレースコンディションにおいても有効であり、また金属素材であるスキーエッジに対しても効果を示すことが確認できた。これも本発明の潤滑方式が「ころ」回転に依存しているので、実施例1８に示す通り低密度のパウダースノー上ではその密度低下に下に応じて「ころ」回転作用も低下するのと同じ理屈で、雪面硬化剤（スノーセメント、硫安ともいわれる）を散布し高密度を維持されているレース用バーンでは「ころ」回転作用が強まるためと理解できる。またスキーエッジ用ワックスとしての対比でも同様な効果がみられたと思われる。
【手続補正７０】
【補正対象書類名】明細書
【補正対象項目名】０２７９
【補正方法】変更
【補正の内容】
【０２７９】試験概要：試験概要：日付：平成2４年3月18日、場所：長野県野麦峠スキー場、気象：曇天、気温１から５℃、雪温：０．７℃、雪質：湿雪。試験方法：試験者はGSレースに出場するため、本戦板は前回使用の本発明によるND分散WAXLub適用板をその使用磨耗に応じ補給したものを、インスペクションやウォームアップ用の予備板には市販競技用ワックス群をそれぞれ複数構成で施工したスキー板を、それぞれ準備し比較を行った。もちろん本戦では両方のタイム比較はできないので、競技者が有す競技速度域における当日全体での体感判定に基づいて考察する。
【手続補正７１】
【補正対象書類名】明細書
【補正対象項目名】０２８０
【補正方法】変更
【補正の内容】
【０２８０】試験体：本発明によるND分散WAXLubとしては、前回レース使用した板に（0274項参照）、ND分散WAXLubが残存していたため、試験者はこれをブラッシングで簡易クリーニングしその使用磨耗に応じてND-PAO-PE400/Hotwax（実施例6、以下ND400と略称す。）を、さらにスキーエッジを含むスキーサイド部には下地固形としてND-EG-PEG-2501/SoftWAX、その上にND-PAO-411+431/Liquid（双方実施例9）をそれぞれワクシングした。また対比物は予備板に市販競技用ワックス群として、滑走面にはチームレスキュー製「無双」（LDPE素材のいわゆる硬質ベースワックス。以下市販品Kと略称す。）を下地にドミネーター製オーバレイワックス（いわゆるスタート用固形HFワックス）の「Q５」および「Q７」をそれぞれ使い分けてワクシングし比較した。またスキーサイドには前回と同様に市販品J（0274項参照）が使われた。
【手続補正７２】
【補正対象書類名】明細書
【補正対象項目名】０２８２
【補正方法】変更
【補正の内容】
【０２８２】試験結果：滑走評価では、スタート地点での試し滑りでは、Q5＞Q7≧ND400の順に滑走性が優れ、Q7とND400とはほぼ互角であった。しかし上述の通りレースコースの雪氷面コンディション不良の中での使用においてその滑走性が変化し、市販競技用ワックス群をワクシングしていた予備板はインスペクションだけで滑走性がかなりダウンし、その原因としてQ5、Q7が雪氷上の汚れを多く拾い吸着していたことが観察された。一方で本発明によるND分散WAXLub （ND400）は、レース本戦そしてその後の２〜３本の滑走においてもさほど滑走性を損なわなかった。なおスキーエッジワックスとしては今回の構成では下地固形として用いたND-EG-PEG-2501/SoftWAXが抵抗になり対比の市販品Jの方が振動が収まりより滑らかに滑走した。
【手続補正７３】
【補正対象書類名】明細書
【補正対象項目名】０２８３
【補正方法】変更
【補正の内容】
【０２８３】考察としては、本発明のND分散WAXLubはこのような春季のレースコンディションには相当有効であり、特に今回の対比物であるドミネーター製Q5、Q7が、現在の市販競技用ワックスの中でもっとも高価（18900円）高性能な部類とされ、その下層にLDPEワックス層があったことを考慮すれば、本発明のND400は単体でその市販競技用ワックス群複数構成と互角の性能も示したことになる。またスキーエッジワックスでの試験結果は、市販スキーワックス商品のほぼ全てが撥水性重視の潤滑構想である共通点があり、他メーカーや他品種に亘る複数構成で使用されても増強効果が得られやすいと考えられる一方で、本発明のND分散WAXLubの場合は、ＮＤからなる添加剤の基材中濃度は0.001wt%前後の超希薄濃度であるためその主成分としてはほぼ100%が基材である。よって今回のように親水性、疎水性の相反する基材による複合構成で使用された場合、その滑走効果を減衰する可能性を示した。
【手続補正７４】
【補正対象書類名】明細書
【補正対象項目名】０２８５
【補正方法】変更
【補正の内容】
【０２８５】試験概要：試験概要：第一試験日は日付：平成2４年3月20日、場所：岐阜県ほうのきスキー、気象：晴天、気温氷点下３から３℃、雪温：氷点下７から氷点下５℃、雪質：人工雪と天然雪とが混合された締まり雪。第二試験日は日付：平成2４年４月14-15両日、場所：長野県奥志賀高原スキー場、気象：14日みぞれ雪、１５日晴天、気温：氷点下１から８℃、雪温：氷点下２から０℃、雪質：春の残雪上に黄砂降下、雪面硬化剤散布。試験方法：試験者は延べ三日間のレース出場のため、練習、ウォームアップ、予選、本戦の各シーンにおいて、本発明によるND分散WAXLub適用板と対比市販品をその効果および使用磨耗に応じ補給しながらそれぞれ比較を行った。
【手続補正７５】
【補正対象書類名】明細書
【補正対象項目名】０２８６
【補正方法】変更
【補正の内容】
【０２８６】試験体：本発明によるND分散WAXLubとしては、試験者のレース本戦用および予備板からなる複数のスキーサイドに、ND-PAO-411+431/Liquid（実施例9。以下、ND411と略称する）（以下ND411と略称する）、また対比物としては市販スキーエッジワックスとして実施例２０−２１と同一の市販品J、および同性能向上型の「スケート用侍」（以下、市販品Kと略称する）を、それぞれ使い分けてワクシングした。この市販品Ｋはスケートでの使用環境に対応するために市販品Ｊの粘性を高めWs2系固体潤滑剤を加えたものとされる。
【手続補正７６】
【補正対象書類名】明細書
【補正対象項目名】０２８８
【補正方法】変更
【補正の内容】
【０２８８】試験結果：滑走評価では、使用環境がマイナス環境では、振動吸収が理由と思われる滑走性向上では、市販品Ｋ＞市販品J＞ND411の順に優れ、単純な滑走速度では、ND411＞市販品Ｋ＞市販品Jの順に優れていた。耐久性では市販品Kは約3000m、ND411は約2000m程度の効果を感じた。次に使用環境がプラス環境では、それぞれの滑走感は異なるも総合的な滑走性能としては市販品ＫとND411がほぼ同レベルであり市販品Jは両者からは数段劣る。特徴としてはND411は湿雪、雪温が高まるほどその効果を増し特に雪氷面の汚れへの耐性が高かった。
【手続補正７７】
【補正対象書類名】明細書
【補正対象項目名】０２８９
【補正方法】変更
【補正の内容】
【０２８９】考察としては、本発明のND分散WAXLubは金属製や樹脂製などの雪氷上滑走移動用具に備わる様々な部材部位に用いても有効であることが確認できた。また対比させたスキー用エッジワックス市販品Jは、公開情報によればシリコーンオイル及びパーフルオロポリエーテル等のいわゆる真空用フッ素系潤滑剤からなるとされるが、ND411も同様にシリコーンオイルを主成分にNDを添加剤としたものであるので、その対比はこれら高性能なフッ素系潤滑剤と本発明によるナノダイヤモンド一次単結晶粒子NDとの対比に相当するが、上述の通り本発明によるND分散WAXLubはこれら高性能フッ素系潤滑剤とも互角性能であり、本発明の第一の解決課題を満たすものであることが確認できた。
【手続補正７８】
【補正対象書類名】明細書
【補正対象項目名】０２９４
【補正方法】変更
【補正の内容】
【０２９４】試験環境1：当日の気象は温暖な春の日であったが、すでに４月下旬で試験コースの前半は雪氷面は汚れた湿雪の平地であり、特に平地移動能力が劣るスノーボード初心者には酷な状況であった。中間部のブナの原生林においてはこれに加え周辺植生の枝葉や花粉類が飛散していた。後半の雑木林では立ち木間の狭い滑走通過箇所に黄砂、花粉、枝葉等が大量に散乱し、もはや雪氷面とは言えないような箇所の通過を強いられる劣悪な環境であった。